(57)【要約】【課題】本考案は、施工性と安全性を考慮して連結金具や固定金具を使用することにより、安全かつ確実に既設されているフリュームの側壁の高さを上げることができるフリューム嵩上げブロックを提供することを目的とする。【解決手段】本考案のフリューム嵩上げブロックＢは、既設フリュームＦと同等長さであって、既設フリュームＦの側壁の延長方向上方に延びる適宜高さの垂壁部１と、既設フリュームＦの側壁に沿うように下方に延びる適宜高さの控壁部２とからなり、前記垂壁部１の下端と前記控壁部２の上端の連結部には、既設フリュームＦの上端が載る段部３がコンクリートにより一体形成されるものである。前記フリューム嵩上げブロックＢの長手方向の両端には前記垂壁部１、前記段部３、前記控壁部２を貫通する貫通孔４が形成され、該貫通孔４にはフリューム嵩上げブロックＢを組立てる時に後述する固定プレート５が挿入固定される。【選択図】図１
0003117786.tif 000002
【実用新案登録請求の範囲】
【請求項１】
既設フリュームと同等長さであって、既設フリュームの側壁の延長方向上方に延びる適宜高さの垂壁部と、既設フリュームの側壁に沿うように下方に延びる適宜高さの控壁部と、前記垂壁部の下端と前記控壁部の上端の連結部には、既設フリュームの上端が載る段部がコンクリートにより一体形成されるフリューム嵩上げブロックにおいて、前記フリューム嵩上げブロックの長手方向の両端には固定プレートが挿入固定される前記垂壁部、前記段部、前記控壁部を貫通する貫通孔が形成され、さらに前記垂壁部の上端両側には、隣接するフリューム嵩上げブロック同士を連結するための連結プレート用の固定ネジ孔を形成したことを特徴とするフリューム嵩上げブロック。
【請求項２】
また、前記固定プレートは、全体断面形状がＴ字状をなし、既設フリュームの内側に上下方向に延びる長方形状の金属平板と該金属平板の中心から直角方向外側に延びる金属棒とからなり、前記金属棒の先端にはネジが切られ、フリューム嵩上げブロックを組立てる時に前記金属平板と前記ネジに螺合される固定ナットにより前記固定プレートが既設フリュームに締付け固定されることを特徴とする請求項１記載のフリューム嵩上げブロック。
【請求項３】
既設フリュームと同等長さであって、既設フリュームの側壁の延長方向上方に延びる適宜高さの垂壁部と、既設フリュームの側壁に直角方向に延びる適宜長さの控壁部と、前記垂壁部の下端と前記控壁部の基端の連結部には、既設フリュームの上端が載る段部がコンクリートにより一体形成されるフリューム嵩上げブロックにおいて、前記フリューム嵩上げブロックの長手方向の両端には固定プレートが挿入固定される前記垂壁部、前記段部、前記控壁部を貫通する貫通孔が形成され、さらに前記垂壁部の上端両側には、隣接するフリューム嵩上げブロック同士を連結するための連結プレート用の固定ネジ孔を形成したことを特徴とするフリューム嵩上げブロック。
【請求項４】
また、前記固定プレートは、全体断面形状がＴ字状をなし、既設フリュームの内側に上下方向に延びる長方形状の金属平板と該金属平板の中心から直角方向外側に延びる金属棒とからなり、前記金属棒の先端にはネジが切られ、フリューム嵩上げブロックを組立てる時に前記金属平板と前記ネジに螺合される固定ナットにより前記固定プレートが既設フリュームに締付け固定されることを特徴とする請求項３記載のフリューム嵩上げブロック。
【考案の詳細な説明】
【技術分野】
【０００１】
本考案は、既に用水路や排水路に設置されている既設フリュームの側壁の高さを上げるのに用いるフリューム嵩上げブロックに関する。
【背景技術】
【０００２】
従来、用水路や排水路の水が溢れ付近の農地や宅地に被害を与えることがままあり、その対策として、土嚢等で応急工事でしのいでいるのが現状である。
また、現場打設コンクリートにより嵩上げを行う工事の場合は、小断面構造であるためコンクリート打設に多くの手間が掛かり、またコンクリートの量が少量であるため生コン車による打設は困難であり、さらに冬季等の打設後の養生が大変などの欠点があった。
そのため、Ｕ字側溝に嵩上げブロックを設置して嵩上げする技術が開発され公知となっている。
この公知の嵩上げ側溝用ブロックは、Ｕ字形の側溝の開口部上方に設置する一部に導水穴を備えた嵩上げブロックを、Ｕ字形の側溝に対し上下方向に調整可能となるようレベル調整金具により連結する構成としたものである（特許文献１を参照）。
また、コンクリート嵩上げ技術として擁壁の嵩上げブロックが公知となっており、この公知の擁壁嵩上げブロックは、垂壁部と控壁部とからなり、垂壁部はその下端正面側に下向きの段部を有し、控壁部は段部から続いて略垂直方向又は略水平方向に形成されたものである（特許文献２を参照）。
この嵩上げブロックは、段部を既存の擁壁頭部と係合するように既存擁壁の上に設置し、擁壁嵩上げブロックの垂壁部の上端付近まで土砂を充填することで、容易に擁壁の嵩上げを行うことができるものである。
【特許文献１】特開平９−１５８２１９号公報
【特許文献２】特開平９−１５８２１９号公報
【考案の開示】
【考案が解決しようとする課題】
【０００３】
本考案は、施工性と安全性を考慮して連結金具や固定金具を使用することにより、安全かつ確実に既設されているフリュームの側壁の高さを上げることができるフリューム嵩上げブロックを提供することを目的とする。
【課題を解決するための手段】
【０００４】
本考案のフリューム嵩上げブロックは、既設フリュームと同等長さであって、既設フリュームの側壁の延長方向上方に延びる適宜高さの垂壁部と、既設フリュームの側壁に沿うように下方に延びる適宜高さの控壁部と、前記垂壁部の下端と前記控壁部の上端の連結部には、既設フリュームの上端が載る段部がコンクリートにより一体形成されるフリューム嵩上げブロックにおいて、前記フリューム嵩上げブロックの長手方向の両端には固定プレートが挿入固定される前記垂壁部、前記段部、前記控壁部を貫通する貫通孔が形成され、さらに前記垂壁部の上端両側には、隣接するフリューム嵩上げブロック同士を連結するための連結プレート用の固定ネジ孔を形成したものである。
また、前記固定プレートは、全体断面形状がＴ字状をなし、既設フリュームの内側に上下方向に延びる長方形状の金属平板と該金属平板の中心から直角方向外側に延びる金属棒とからなり、前記金属棒の先端にはネジが切られ、フリューム嵩上げブロックを組立てる時に前記金属平板と前記ネジに螺合される固定ナットにより前記固定プレートが既設フリュームに締付け固定されるものである。
さらに、本考案のフリューム嵩上げブロックは、既設フリュームと同等長さであって、既設フリュームの側壁の延長方向上方に延びる適宜高さの垂壁部と、既設フリュームの側壁に直角方向に延びる適宜長さの控壁部と、前記垂壁部の下端と前記控壁部の基端の連結部には、既設フリュームの上端が載る段部がコンクリートにより一体形成されるフリューム嵩上げブロックにおいて、前記フリューム嵩上げブロックの長手方向の両端には固定プレートが挿入固定される前記垂壁部、前記段部、前記控壁部を貫通する貫通孔が形成され、さらに前記垂壁部の上端両側には、隣接するフリューム嵩上げブロック同士を連結するための連結プレート用の固定ネジ孔を形成したものである
【考案の効果】
【０００５】
本考案のフリューム嵩上げブロックは、工場製品であり、品質が均一化されており、かつ現場での組立構造であり、簡単に作業ができ早期完成が期待できる。
本考案のフリューム嵩上げブロックは、連結金具の使用により嵩上げブロックが一体化されるので、安全確実に作業ができ、危険防止を図ることができるる。
本考案のフリューム嵩上げブロックは、固定プレート金具によって、施工時、自立できる構造となっているので、安全確実に作業ができ、危険防止を図ることができるし、且つ背面に土砂等がなくても水圧に耐えうる構造となっている。
【考案を実施するための最良の形態】
【０００６】
本考案のフリューム嵩上げブロックの実施例を図面に基づいて、以下に説明する。
図１に示すように、本考案のフリューム嵩上げブロックＢは、既設フリュームＦと同等長さであって、既設フリュームＦの側壁の延長方向上方に延びる適宜高さの垂壁部１と、既設フリュームＦの側壁に沿うように下方に延びる適宜高さの控壁部２とからなり、前記垂壁部１の下端と前記控壁部２の上端の連結部には、既設フリュームＦの上端が載る段部３がコンクリートにより一体形成されるものである。
前記フリューム嵩上げブロックＢの長手方向の両端には前記垂壁部１、前記段部３、前記控壁部２を貫通する貫通孔４が形成され、該貫通孔４にはフリューム嵩上げブロックＢを組立てる時に後述する固定プレート５が挿入固定される。
図２に示すように、前記固定プレート５は、全体断面形状がＴ字状をなし、既設フリュームＦの内側に上下方向に延びる長方形状の金属平板６と該金属平板６の中心から直角方向外側に延びる金属棒７とからなる。
前記金属棒７の先端にはネジが切られ、フリューム嵩上げブロックＢを組立てる時に前記金属平板６と前記ネジに螺合される固定ナット８により前記固定プレート５が既設フリュームＦに締付け固定される。
さらに、前記垂壁部１の上端両側には、隣接するフリューム嵩上げブロックＢ同士を連結するための連結プレート１０用の固定ネジ孔９を形成する。
【０００７】
次に、本考案のフリューム嵩上げブロックＢの組立て動作を図面に基づいて、以下に説明する。
まず、図３に示すように、既設フリュームＦの外側となる旧地盤をフリューム嵩上げブロックＢの控壁部が設置できる位置まで掘削する。
次に、前記フリューム嵩上げブロックＢの控壁部２が既設フリュームＦの外側となるようにフリューム嵩上げブロックＢの段部３を既設フリュームＦの上端に載せる。
そして、既設フリュームＦの内側から固定プレート５の金属棒７を前記フリューム嵩上げブロックＢの貫通孔４に挿通し、固定ナット８により締付けて前記フリューム嵩上げブロックＢを既設フリュームＦに固定する。
同様にして、隣接するフリューム嵩上げブロックＢの控壁部２が既設フリュームＦの外側となるようにフリューム嵩上げブロックＢの段部３を既設フリュームＦの上端に載せ、既設フリュームＦの内側から固定プレート５の金属棒７を前記フリューム嵩上げブロックＢの貫通孔４に挿通し、固定ナット８により締付けて前記フリューム嵩上げブロックＢを既設フリュームＦに固定し、さらに隣接する前記フリューム嵩上げブロックＢ同士を連結プレート１０により連結する。
以上の作業を繰り返して、既設フリュームＦにフリューム嵩上げブロックＢを両側に嵩上げし、最後に掘削土を埋め戻しをする。
なお、接合部は、目地モルタル等によって水路からの漏水を防止できる。
【０００８】
次いで、本考案のフリューム嵩上げブロックの他の実施例を図面に基づいて、以下に説明する。
図４に示すように、本考案のフリューム嵩上げブロックＢ’は、既設フリュームＦと同等長さであって、既設フリュームＦの側壁の延長方向上方に延びる適宜高さの垂壁部１と、既設フリュームＦの側壁に直角方向に延びる適宜長さの控壁部１１とからなり、前記垂壁部１の下端と前記控壁部２の基端の連結部には、既設フリュームＦの上端が載る段部３がコンクリートにより一体形成されるものである。
前記フリューム嵩上げブロックＢ’の長手方向の両端には前記垂壁部１、前記段部３、前記控壁部１１を貫通する貫通孔４が形成され、該貫通孔４にはフリューム嵩上げブロックＢ’を組立てる時に固定プレート５が挿入固定される。
さらに、前記垂壁部１の上端両側には、隣接するフリューム嵩上げブロックＢ’同士を連結するための連結プレート１０用の固定ネジ孔９を形成する。
そして、本考案のフリューム嵩上げブロックＢ’の組立て動作は、図５に示すように、前述したフリューム嵩上げブロックＢと同様にして行われる。
【図面の簡単な説明】
【０００９】
【図１】本考案のフリューム嵩上げブロックを既設フリュームに嵩上げした状態の一部省略斜視図である。
【図２】本考案のフリューム嵩上げブロックを既設フリュームに嵩上げした状態の一部省略断面図である。
【図３】本考案のフリューム嵩上げブロックを既設フリュームに嵩上げした状態の正面斜視図である。
【図４】他の実施例のフリューム嵩上げブロックを既設フリュームに嵩上げした状態の一部省略斜視図である。
【図５】他の実施例のフリューム嵩上げブロックを既設フリュームに嵩上げした状態の正面図である。
【符号の説明】
【００１０】
１  垂壁部
２  控壁部
３  段部
４  貫通孔
５  固定プレート
６  金属平板
７  金属棒
８  固定ナット
９  固定ネジ孔
１０  連結プレート
１１  控壁部
【図１】
0003117786.tif 000003
【図２】
0003117786.tif 000004
【図３】
0003117786.tif 000005
【図４】
0003117786.tif 000006
【図５】
0003117786.tif 000007